(57)【要約】【課題】ユーザが利用できる情報処理装置が携帯端末の物理的に近くにある場合、外部の通信機器から受信した情報を適切な機器により出力する。【解決手段】ユーザにより携帯される携帯端末と、携帯端末と近距離無線通信を行う情報処理装置とを備える通信システムであって、携帯端末または少なくとも１つの情報処理装置に設けられ、検出部が検出したそれぞれの情報処理装置の使用状況に基づいて、携帯端末または検出部が検出した情報処理装置が外部の通信機器から受信した情報をユーザに対して出力する出力端末を、携帯端末および検出部が検出した情報処理装置の中から選択する選択部と、携帯端末および情報処理装置にそれぞれ設けられ、当該携帯端末または当該情報処理装置が出力端末として選択されたことに応じて、外部の通信機器から受信した情報をユーザに対して出力する出力部とを備える通信システムを提供する。【選択図】図１
2008104102.tif 000002
【特許請求の範囲】
【請求項１】
ユーザにより携帯される携帯端末と、前記携帯端末と近距離無線通信を行う情報処理装置とを備える通信システムであって、
それぞれの前記情報処理装置に設けられ、前記ユーザによる当該情報処理装置の使用状況を取得する取得部と、
前記携帯端末に設けられ、前記近距離無線通信により当該携帯端末と通信可能な前記情報処理装置を検出する検出部と、
前記携帯端末または少なくとも１つの前記情報処理装置に設けられ、前記検出部が検出した前記情報処理装置から当該情報処理装置の前記使用状況を収集する収集部と、
前記携帯端末または少なくとも１つの前記情報処理装置に設けられ、前記検出部が検出したそれぞれの前記情報処理装置の前記使用状況に基づいて、前記携帯端末または前記検出部が検出した前記情報処理装置が外部の通信機器から受信した情報を前記ユーザに対して出力する出力端末を、前記携帯端末および前記検出部が検出した前記情報処理装置の中から選択する選択部と、
前記携帯端末および前記情報処理装置にそれぞれ設けられ、当該携帯端末または当該情報処理装置が前記出力端末として選択されたことに応じて、前記外部の通信機器から受信した情報を前記ユーザに対して出力する出力部と
を備える通信システム。
【請求項２】
前記携帯端末は、携帯電話機であり、
前記検出部が検出した前記情報処理装置のうちの１つは、カーナビゲーション装置であり、
前記カーナビゲーション装置に設けられた前記取得部は、当該カーナビゲーション装置が取り付けられた車両のエンジンのオンオフ状態を使用状況として取得し、
前記選択部は、前記エンジンがオン状態であることを条件として、前記外部の通信機器から前記携帯電話機へと着信した通話を前記カーナビゲーション装置により前記ユーザに出力すべきことを選択し、
前記カーナビゲーション装置の前記出力部は、前記外部の通信機器から前記携帯電話機へと着信した通話を当該カーナビゲーション装置により前記ユーザに対して出力する
請求項１に記載の通信システム。
【請求項３】
前記カーナビゲーション装置に設けられた前記取得部は、更に、前記車両の移動停止状態を使用状況として取得し、
前記選択部は、前記車両が移動状態であることを条件として、前記外部の通信機器から前記携帯電話機へと着信した通話を前記カーナビゲーション装置に転送すべきことを選択し、
前記携帯電話機及び前記カーナビゲーション装置の前記出力部は、前記外部の通信機器から前記携帯電話機へと着信した通話を当該カーナビゲーション装置に転送する
請求項２に記載の通信システム。
【請求項４】
前記情報処理装置に設けられた前記取得部は、ユーザによる当該情報処理装置を介したインターネットのウェッブサイトへのアクセス状況を使用状況として取得し、
前記選択部は、ユーザが前記情報処理装置を介してインターネットのウェッブサイトにアクセス状態であることを条件として、前記外部の通信機器から前記携帯電話機へと着信した通話を前記情報処理装置により出力すべきことを選択し、
前記情報処理装置の前記出力部は、前記外部の通信機器から前記携帯電話機へと着信した通話を当該情報処理装置により前記ユーザに対して出力する
請求項１に記載の通信システム。
【請求項５】
更に、前記検出部が検出した前記情報処理装置のうちの１つは、パーソナルコンピュータであり、
前記パーソナルコンピュータに設けられた前記取得部は、当該パーソナルコンピュータにおける通信アプリケーションの利用状態を使用状況として取得し、
前記選択部は、前記通信アプリケーションがユーザに利用されている状態であることを条件として、前記外部の通信機器から前記携帯電話機へと着信した通話を、前記パーソナルコンピュータにより前記ユーザに出力すべきことを選択し、
前記パーソナルコンピュータの前記出力部は、前記外部の通信機器から前記携帯電話機へと着信した通話を当該パーソナルコンピュータにより前記ユーザに対して出力する
請求項４に記載の通信システム。
【請求項６】
前記検出部が検出した前記情報処理装置のうちの１つは、車両の外部に設置された車外支払装置であり、
前記車外支払装置に設けられた前記取得部は、課金可能な前記携帯端末またはいずれか一つの前記情報処理装置を表示してユーザにいずれかを指定させ、課金すべき機器の指定結果を使用状況として取得し、
前記選択部は、前記指定結果に応じて、課金サーバと通信して課金処理すべき前記携帯端末またはいずれか一つの前記情報処理装置を選択し、
選択された前記携帯端末または前記情報処理装置の前記出力部は、前記課金サーバから送信された課金情報を前記ユーザに対して出力する
請求項１に記載の通信システム。
【請求項７】
前記検出部が検出した前記情報処理装置のうちの１つは、カーナビゲーション装置であり、
前記カーナビゲーション装置に設けられた前記取得部は、課金可能な前記携帯端末または前記カーナビゲーション装置を表示してユーザにいずれかを指定させ、課金すべき機器の指定結果を使用状況として取得し、
前記選択部は、前記指定結果に応じて、課金サーバと通信して課金処理すべき前記携帯端末または前記カーナビゲーション装置を選択し、
選択された前記携帯端末または前記カーナビゲーション装置の前記出力部は、前記課金サーバから送信された課金情報を前記ユーザに対して出力する
請求項６に記載の通信システム。
【請求項８】
前記車外支払装置に設けられた前記取得部は、ユーザに適した１以上の課金方法を表示してユーザにいずれかを指定させ、課金方法の指定結果を使用状況として取得し、
前記選択部は、前記指定結果に応じた課金方法を実行可能な前記携帯端末または前記情報処理装置を選択し、
選択された前記携帯端末または前記情報処理装置の前記出力部は、前記指定結果に応じた課金方法を実行する前記課金サーバから送信された課金情報を前記ユーザに対して出力する
請求項６に記載の通信システム。
【請求項９】
前記選択部により前記情報処理装置が選択された場合、前記携帯端末は、設定された連絡先情報またはウェッブページアドレスを少なくとも含むカスタマイズ情報を、当該携帯端末から選択された前記情報処理装置へ前記近距離無線通信により転送する
請求項１に記載の通信システム。
【請求項１０】
前記選択部は、前記携帯端末または前記検出部が検出した前記情報処理装置が外部の通信機器から受信した情報を前記ユーザに対して出力する出力端末を、ユーザの指定に応じて他の前記情報処理装置に切り替え、
切り替えられた前記他の情報処理装置の前記出力部は、前記外部の通信機器から受信した情報を当該他の情報処理装置により前記ユーザに対して出力する
請求項１に記載の通信システム。
【請求項１１】
前記選択部は、
前記情報処理装置のそれぞれに設けられ、当該情報処理装置が外部の通信機器から受信した情報を前記ユーザに対して出力すべき出力端末として選択されている場合、当該情報処理装置に対する選択の中止の指定をユーザから受け付ける画面を表示する中止指定部と、
前記選択の中止の指定に応じて、当該情報処理装置を外部の通信機器から受信した情報を前記ユーザに対して出力する出力端末として選択することを中止する中止処理部と、
前記情報処理装置のそれぞれに設けられ、当該情報処理装置が当該情報処理装置が外部の通信機器から受信した情報を前記ユーザに対して出力すべき出力端末として選択されていない場合、当該情報処理装置に対する選択の開始の指定をユーザから受け付ける画面を表示する開始指定部と、
前記選択の開始の指定に応じて、当該情報処理装置を外部の通信機器から受信した情報を前記ユーザに対して出力する出力端末として選択することを開始する開始処理部と
を更に有する
請求項１０に記載の通信システム。
【請求項１２】
ユーザにより携帯される携帯端末と、前記携帯端末と近距離無線通信を行う情報処理装置とを備える通信システムにおける前記携帯端末であって、
前記近距離無線通信により当該携帯端末と通信可能な前記情報処理装置を検出する検出部と、
前記検出部が検出した前記情報処理装置から当該情報処理装置の前記使用状況を収集する収集部と、
前記検出部が検出したそれぞれの前記情報処理装置の前記使用状況に基づいて、前記携帯端末または前記検出部が検出した前記情報処理装置が外部の通信機器から受信した情報を前記ユーザに対して出力する出力端末を、前記携帯端末および前記検出部が検出した前記情報処理装置の中から選択する選択部と、
当該携帯端末が前記出力端末として選択されたことに応じて、前記外部の通信機器から受信した情報を前記ユーザに対して出力する出力部と
を備える
携帯端末。
【請求項１３】
ユーザにより携帯される携帯端末と、前記携帯端末と近距離無線通信を行う情報処理装置とを備える通信システムにおける前記情報処理装置であって、
前記ユーザによる当該情報処理装置の使用状況を取得する取得部と、
前記携帯端末が前記近距離無線通信により当該携帯端末と通信可能と検出した前記情報処理装置から当該情報処理装置の前記使用状況を収集する収集部と、
検出されたそれぞれの前記情報処理装置の前記使用状況に基づいて、前記携帯端末または検出された前記情報処理装置が外部の通信機器から受信した情報を前記ユーザに対して出力する出力端末を、前記携帯端末および検出された前記情報処理装置の中から選択する選択部と、
当該携帯端末または当該情報処理装置が前記出力端末として選択されたことに応じて、前記外部の通信機器から受信した情報を前記ユーザに対して出力する出力部と
を備える
情報処理装置。
【請求項１４】
ユーザにより携帯される携帯端末と、前記携帯端末と近距離無線通信を行う情報処理装置とを備える通信システムにおける通信方法であって、
それぞれの前記情報処理装置が、前記ユーザによる当該情報処理装置の使用状況を取得し、
前記携帯端末が、前記近距離無線通信により当該携帯端末と通信可能な前記情報処理装置を検出し、
前記携帯端末または少なくとも１つの前記情報処理装置が、検出した前記情報処理装置から当該情報処理装置の前記使用状況を収集し、
前記携帯端末または少なくとも１つの前記情報処理装置が、検出したそれぞれの前記情報処理装置の前記使用状況に基づいて、前記携帯端末または検出した前記情報処理装置が外部の通信機器から受信した情報を前記ユーザに対して出力する出力端末を、前記携帯端末および検出した前記情報処理装置の中から選択し、
前記携帯端末および前記情報処理装置のそれぞれが、当該携帯端末または当該情報処理装置が前記出力端末として選択されたことに応じて、前記外部の通信機器から受信した情報を前記ユーザに対して出力する
通信方法。
【請求項１５】
ユーザにより携帯される携帯端末と、前記携帯端末と近距離無線通信を行う情報処理装置と、前記携帯端末および情報処理装置と通信するサーバとを備える通信システムであって、
それぞれの前記情報処理装置に設けられ、前記ユーザによる当該情報処理装置の使用状況を取得する取得部と、
前記携帯端末に設けられ、前記近距離無線通信により当該携帯端末と通信可能な前記情報処理装置を検出する検出部と、
前記携帯端末、前記サーバまたは少なくとも１つの前記情報処理装置に設けられ、前記検出部が検出した前記情報処理装置から当該情報処理装置の前記使用状況を収集する収集部と、
前記サーバに設けられ、前記検出部が検出したそれぞれの前記情報処理装置の前記使用状況に基づいて、前記携帯端末または前記検出部が検出した前記情報処理装置が外部の通信機器から受信した情報を前記ユーザに対して出力する出力端末を、前記携帯端末および前記検出部が検出した前記情報処理装置の中から選択する選択部と、
前記携帯端末および前記情報処理装置にそれぞれ設けられ、当該携帯端末または当該情報処理装置が前記出力端末として選択されたことに応じて、前記外部の通信機器から受信した情報を前記ユーザに対して出力する出力部と
を備える通信システム。
【請求項１６】
前記サーバに設けられた前記選択部は、前記出力端末として選択された前記携帯端末または前記情報処理装置に対応する通信路を介して、前記外部の通信機器から受信した情報を選択された前記携帯端末または前記情報処理装置に送信する
請求項１５に記載の通信システム。
【請求項１７】
ユーザにより携帯される携帯端末と、前記携帯端末と近距離無線通信を行う情報処理装置と、前記携帯端末および情報処理装置と通信するサーバとを備える通信システムにおける前記サーバであって、
前記携帯端末が前記近距離無線通信により当該携帯端末と通信可能と検出した前記情報処理装置から当該情報処理装置の前記使用状況を収集する収集部と、
検出されたそれぞれの前記情報処理装置の前記使用状況に基づいて、前記携帯端末または検出された前記情報処理装置が外部の通信機器から受信した情報を前記ユーザに対して出力する出力端末を、前記携帯端末および検出された前記情報処理装置の中から選択し、当該携帯端末または情報処理装置が前記出力端末として選択されたことに応じて、当該出力端末に前記外部の通信機器から受信した情報を前記ユーザに対して出力させる選択部と
を備える
サーバ。
【請求項１８】
ユーザにより携帯される携帯端末と、前記携帯端末と近距離無線通信を行う情報処理装置と、前記携帯端末および情報処理装置と通信するサーバとを備える通信システムにおける通信方法であって、
それぞれの前記情報処理装置が、前記ユーザによる当該情報処理装置の使用状況を取得し、
前記携帯端末が、前記近距離無線通信により当該携帯端末と通信可能な前記情報処理装置を検出し、
前記携帯端末、前記サーバまたは少なくとも１つの前記情報処理装置が、検出した前記情報処理装置から当該情報処理装置の前記使用状況を収集し、
前記サーバが、検出したそれぞれの前記情報処理装置の前記使用状況に基づいて、前記携帯端末または検出した前記情報処理装置が外部の通信機器から受信した情報を前記ユーザに対して出力する出力端末を、前記携帯端末および検出した前記情報処理装置の中から選択し、
前記携帯端末、前記情報処理装置および前記サーバのそれぞれが、当該携帯端末または当該情報処理装置が前記出力端末として選択されたことに応じて、前記外部の通信機器から受信した情報を前記ユーザに対して出力する
通信方法。
【請求項１９】
ユーザにより携帯される携帯端末と、前記携帯端末と近距離無線通信を行う情報処理装置と、前記携帯端末および情報処理装置と通信するサーバとを備える通信システムにおける前記サーバとして、コンピュータを機能させるプログラムであって、
前記コンピュータを、
前記携帯端末が前記近距離無線通信により当該携帯端末と通信可能と検出した前記情報処理装置から当該情報処理装置の前記使用状況を収集する収集部と、
検出されたそれぞれの前記情報処理装置の前記使用状況に基づいて、前記携帯端末または検出された前記情報処理装置が外部の通信機器から受信した情報を前記ユーザに対して出力する出力端末を、前記携帯端末および検出された前記情報処理装置の中から選択し、当該携帯端末または情報処理装置が前記出力端末として選択されたことに応じて、当該出力端末に前記外部の通信機器から受信した情報を前記ユーザに対して出力させる選択部とを備える
サーバとして機能させるプログラム。
【発明の詳細な説明】
【技術分野】
【０００１】
本発明は、通信システム、携帯端末、情報処理装置、通信方法、サーバおよびプログラムに関する。特に、本発明は、近距離無線通信を行う通信システム、携帯端末、情報処理装置、通信方法、サーバおよびプログラムに関する。
【背景技術】
【０００２】
特許文献１〜６には、携帯端末を利用してユーザに情報を提供する発明が記載されている。特許文献１には、ユーザ情報を記憶したマスターＩＣカードを携帯電話にセットし、スレーブＩＣカードを車載電話にセットし、ユーザが携帯電話を持って自動車に乗り込むと、携帯電話から車載電話に対してサービスの利用権が譲渡される発明が記載されている。
【０００３】
特許文献２には、ＰＨＳを携帯して外出または帰宅すると、電話の転送サービスの設定または解除を自動的に行う発明が記載されている。特許文献３には、ユーザが受信メールの転送条件を任意にメールサーバに対して設定可能とする発明が記載されている。特許文献４には、ユーザ端末は個人認識情報を読み取りサーバへ転送し、サーバは個人認識情報に基づいてユーザを特定して、当該ユーザ用の個人設定情報をユーザ端末へ送信する発明が記載されている。
【０００４】
特許文献５には、無線端末が移動している際に着信した場合、データのみ着信を受け付けるか、音声の着信を受けるか、他端末に転送するか、如何なる着呼も受け付けないか、無線端末の状態を発呼者に通知するか、を予め設定可能とする発明が記載されている。特許文献６には、利用者が携帯している携帯電話の現在位置を検出して利用者がいる可能性が高い転送先リストを生成し、転送先リストに従って利用者宛の電話を転送する発明が記載されている。
【０００５】
【特許文献１】特許第３３８９９０９号公報
【特許文献２】特開平９−３２６８６５号公報
【特許文献３】特開２００２−６４５３１号公報
【特許文献４】特開２００２−２５９３３５号公報
【特許文献５】特開２００３−３３３６４３号公報
【特許文献６】特開２００５−５１５３０号公報
【発明の開示】
【発明が解決しようとする課題】
【０００６】
ところで、近年、一人のユーザが同時に複数の情報機器を利用するような状況が多くなった。例えば、携帯電話機を携帯して自動車に乗車した場合、ユーザは、携帯電話を利用できるとともに、自動車内のカーナビゲーション装置を利用することができる。このような場合、それぞれの情報機器が個別に情報を出力するのではなく、互いに連携して適切な情報機器により情報をユーザに出力できることが望ましい。
【０００７】
そこで本発明は、上記の課題を解決することのできる通信システム、携帯端末、情報処理装置、通信方法、サーバおよびプログラムを提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するために、本発明の第１の形態においては、ユーザにより携帯される携帯端末と、携帯端末と近距離無線通信を行う情報処理装置とを備える通信システムであって、それぞれの情報処理装置に設けられ、ユーザによる当該情報処理装置の使用状況を取得する取得部と、携帯端末に設けられ、近距離無線通信により当該携帯端末と通信可能な情報処理装置を検出する検出部と、携帯端末または少なくとも１つの情報処理装置に設けられ、検出部が検出した情報処理装置から当該情報処理装置の使用状況を収集する収集部と、携帯端末または少なくとも１つの情報処理装置に設けられ、検出部が検出したそれぞれの情報処理装置の使用状況に基づいて、携帯端末または検出部が検出した情報処理装置が外部の通信機器から受信した情報をユーザに対して出力する出力端末を、携帯端末および検出部が検出した情報処理装置の中から選択する選択部と、携帯端末および情報処理装置にそれぞれ設けられ、当該携帯端末または当該情報処理装置が出力端末として選択されたことに応じて、外部の通信機器から受信した情報をユーザに対して出力する出力部とを備える通信システムを提供する。
【０００９】
本発明の第２の形態においては、ユーザにより携帯される携帯端末と、携帯端末と近距離無線通信を行う情報処理装置とを備える通信システムにおける携帯端末であって、近距離無線通信により当該携帯端末と通信可能な情報処理装置を検出する検出部と、検出部が検出した情報処理装置から当該情報処理装置の使用状況を収集する収集部と、検出部が検出したそれぞれの情報処理装置の使用状況に基づいて、携帯端末または検出部が検出した情報処理装置が外部の通信機器から受信した情報をユーザに対して出力する出力端末を、携帯端末および検出部が検出した情報処理装置の中から選択する選択部と、当該携帯端末が出力端末として選択されたことに応じて、外部の通信機器から受信した情報をユーザに対して出力する出力部とを備える携帯端末を提供する。
【００１０】
本発明の第３の形態においては、ユーザにより携帯される携帯端末と、携帯端末と近距離無線通信を行う情報処理装置とを備える通信システムにおける情報処理装置であって、ユーザによる当該情報処理装置の使用状況を取得する取得部と、携帯端末が近距離無線通信により当該携帯端末と通信可能と検出した情報処理装置から当該情報処理装置の使用状況を収集する収集部と、検出されたそれぞれの情報処理装置の使用状況に基づいて、携帯端末または検出された情報処理装置が外部の通信機器から受信した情報をユーザに対して出力する出力端末を、携帯端末および検出された情報処理装置の中から選択する選択部と、当該携帯端末または当該情報処理装置が出力端末として選択されたことに応じて、外部の通信機器から受信した情報をユーザに対して出力する出力部とを備える情報処理装置を提供する。
【００１１】
本発明の第４の形態においては、ユーザにより携帯される携帯端末と、携帯端末と近距離無線通信を行う情報処理装置とを備える通信システムにおける通信方法であって、それぞれの情報処理装置が、ユーザによる当該情報処理装置の使用状況を取得し、携帯端末が、近距離無線通信により当該携帯端末と通信可能な情報処理装置を検出し、携帯端末または少なくとも１つの情報処理装置が、検出した情報処理装置から当該情報処理装置の使用状況を収集し、携帯端末または少なくとも１つの情報処理装置が、検出したそれぞれの情報処理装置の使用状況に基づいて、携帯端末または検出した情報処理装置が外部の通信機器から受信した情報をユーザに対して出力する出力端末を、携帯端末および検出した情報処理装置の中から選択し、携帯端末および情報処理装置のそれぞれが、当該携帯端末または当該情報処理装置が出力端末として選択されたことに応じて、外部の通信機器から受信した情報をユーザに対して出力する通信方法を提供する。
【００１２】
本発明の第５の形態においては、ユーザにより携帯される携帯端末と、携帯端末と近距離無線通信を行う情報処理装置と、携帯端末および情報処理装置と通信するサーバとを備える通信システムであって、それぞれの情報処理装置に設けられ、ユーザによる当該情報処理装置の使用状況を取得する取得部と、携帯端末に設けられ、近距離無線通信により当該携帯端末と通信可能な情報処理装置を検出する検出部と、携帯端末、サーバまたは少なくとも１つの情報処理装置に設けられ、検出部が検出した情報処理装置から当該情報処理装置の使用状況を収集する収集部と、サーバに設けられ、検出部が検出したそれぞれの情報処理装置の使用状況に基づいて、携帯端末または検出部が検出した情報処理装置が外部の通信機器から受信した情報をユーザに対して出力する出力端末を、携帯端末および検出部が検出した情報処理装置の中から選択する選択部と、携帯端末および情報処理装置にそれぞれ設けられ、当該携帯端末または当該情報処理装置が出力端末として選択されたことに応じて、外部の通信機器から受信した情報をユーザに対して出力する出力部とを備える通信システムを提供する。
【００１３】
本発明の第６の形態においては、ユーザにより携帯される携帯端末と、携帯端末と近距離無線通信を行う情報処理装置と、携帯端末および情報処理装置と通信するサーバとを備える通信システムにおけるサーバであって、携帯端末が近距離無線通信により当該携帯端末と通信可能と検出した情報処理装置から当該情報処理装置の使用状況を収集する収集部と、検出されたそれぞれの情報処理装置の使用状況に基づいて、携帯端末または検出された情報処理装置が外部の通信機器から受信した情報をユーザに対して出力する出力端末を、携帯端末および検出された情報処理装置の中から選択し、当該携帯端末または情報処理装置が出力端末として選択されたことに応じて、当該出力端末に外部の通信機器から受信した情報をユーザに対して出力させる選択部とを備えるサーバを提供する。
【００１４】
本発明の第７の形態においては、ユーザにより携帯される携帯端末と、携帯端末と近距離無線通信を行う情報処理装置と、携帯端末および情報処理装置と通信するサーバとを備える通信システムにおける通信方法であって、それぞれの情報処理装置が、ユーザによる当該情報処理装置の使用状況を取得し、携帯端末が、近距離無線通信により当該携帯端末と通信可能な情報処理装置を検出し、携帯端末、サーバまたは少なくとも１つの情報処理装置が、検出した情報処理装置から当該情報処理装置の使用状況を収集し、サーバが、検出したそれぞれの情報処理装置の使用状況に基づいて、携帯端末または検出した情報処理装置が外部の通信機器から受信した情報をユーザに対して出力する出力端末を、携帯端末および検出した情報処理装置の中から選択し、携帯端末、情報処理装置およびサーバのそれぞれが、当該携帯端末または当該情報処理装置が出力端末として選択されたことに応じて、外部の通信機器から受信した情報をユーザに対して出力する通信方法を提供する。
【００１５】
本発明の第８の形態においては、ユーザにより携帯される携帯端末と、携帯端末と近距離無線通信を行う情報処理装置と、携帯端末および情報処理装置と通信するサーバとを備える通信システムにおけるサーバとして、コンピュータを機能させるプログラムであって、コンピュータを、携帯端末が近距離無線通信により当該携帯端末と通信可能と検出した情報処理装置から当該情報処理装置の使用状況を収集する収集部と、検出されたそれぞれの情報処理装置の使用状況に基づいて、携帯端末または検出された情報処理装置が外部の通信機器から受信した情報をユーザに対して出力する出力端末を、携帯端末および検出された情報処理装置の中から選択し、当該携帯端末または情報処理装置が出力端末として選択されたことに応じて、当該出力端末に外部の通信機器から受信した情報をユーザに対して出力させる選択部とを備えるサーバとして機能させるプログラムを提供する。
【００１６】
なお、上記の発明の概要は、本発明の必要な特徴の全てを列挙したものではなく、これらの特徴群のサブコンビネーションもまた、発明となりうる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本実施形態に係る通信システム１０の構成の第１例を外部の通信機器２００とともに示す。通信システム１０は、携帯端末２０と、少なくとも一つの情報処理装置３０とを備える。携帯端末２０は、ユーザにより携帯される電子機器である。携帯端末２０は、一例として、携帯電話機２２であってよい。情報処理装置３０は、携帯端末２０と近距離無線通信を行う。情報処理装置３０は、一例として、カーナビゲーション装置３２であってよい。カーナビゲーション装置３２は、車両内に設置され、ユーザに対して地図情報および現在地から目的地までの最短ルート等を表示する。
【００１９】
携帯端末２０と情報処理装置３０との間において行われる近距離無線通信は、互いの物理的な距離が近づいたことによりやり取りが可能となる通信であってよい。当該近距離無線通信は、一例として、Ｂｌｕｅｔｏｏｔｈ（登録商標）、ＷｉＦｉ（Ｗｉｒｅｌｅｓｓ  Ｆｉｄｅｌｉｔｙ）またはＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等であってよい。
【００２０】
通信システム１０は、携帯端末２０と情報処理装置３０との間の物理的な距離が近づいて、携帯端末２０と情報処理装置３０とが近距離無線通信可能となったことにより動作が開始されてよい。通信システム１０は、一例として、携帯電話機２２を携帯するユーザがカーナビゲーション装置３２が設置された車両内に入ることに応じて近距離無線通信可能となったことにより、動作を開始してよい。また、通信システム１０は、携帯端末２０と情報処理装置３０との間の物理的な距離が遠ざかって、携帯端末２０と情報処理装置３０とが近距離無線通信できなくなったことにより動作が終了してよい。通信システム１０は、一例として、ユーザが車両から出たことに応じて近距離無線通信ができなくなったことにより、動作を終了してよい。
【００２１】
通信システム１０は、取得部１１０と、検出部１２０と、収集部１３０と、選択部１４０と、出力部１５０とを備える。取得部１１０は、それぞれの情報処理装置３０に設けられ、当該情報処理装置３０の使用状況を取得する。取得部１１０は、一例として、当該取得部１１０が設けられた情報処理装置３０の動作を定期的に検出することにより使用状況を取得してよい。カーナビゲーション装置３２に設けられた取得部１１０は、一例として、当該カーナビゲーション装置３２が取り付けられた車両のエンジンのオンオフ状態を使用状況として取得してよい。また、カーナビゲーション装置３２に設けられた取得部１１０は、一例として、更に、当該車両の移動停止状態を使用状況として取得してよい。
【００２２】
検出部１２０は、携帯端末２０に設けられ、近距離無線通信により当該携帯端末２０と通信可能な情報処理装置３０を検出する。検出部１２０は、一例として、近距離無線通信を用いて定期的に周囲に機器が存在するかサーチすることにより、当該携帯端末２０と通信可能な情報処理装置３０を検出してよい。
【００２３】
収集部１３０は、携帯端末２０または少なくとも１つの情報処理装置３０に設けられ、検出部１２０が検出した情報処理装置３０から当該情報処理装置３０の使用状況を収集する。収集部１３０は、一例として、各情報処理装置３０の取得部１１０が検出した使用状況を示す情報を近距離無線通信を介して受信することにより、それぞれの情報処理装置３０における使用状況を収集してよい。
【００２４】
選択部１４０は、携帯端末２０または少なくとも１つの情報処理装置３０に設けられる。選択部１４０は、使用状況の収集結果を収集部１３０から受け取る。そして、選択部１４０は、検出部１２０が検出したそれぞれの情報処理装置３０の使用状況に基づいて、携帯端末２０または検出部１２０が検出した情報処理装置３０が外部の通信機器２００から受信した情報をユーザに対して出力する出力端末を、携帯端末２０および検出部１２０が検出した情報処理装置３０の中から選択する。
【００２５】
出力部１５０は、携帯端末２０および情報処理装置３０にそれぞれ設けられる。出力部１５０は、当該携帯端末２０または当該情報処理装置３０が出力端末として選択されたことに応じて、外部の通信機器２００から受信した情報をユーザに対して出力する。
【００２６】
以下、携帯端末２０が携帯電話機２２であり、検出部１２０が検出した情報処理装置３０のうちの１つがカーナビゲーション装置３２である場合における、通信システム１０の具体的な動作の一例について説明する。
【００２７】
携帯端末２０が携帯電話機２２であり、検出部１２０が検出した情報処理装置３０のうちの１つがカーナビゲーション装置３２である場合、選択部１４０は、一例として、エンジンがオン状態であることを条件として、外部の通信機器２００から携帯電話機２２へと着信した通話をカーナビゲーション装置３２によりユーザに出力すべきことを選択してよい。そして、カーナビゲーション装置３２の出力部１５０は、外部の通信機器２００から携帯電話機２２へと着信した通話を当該カーナビゲーション装置３２によりユーザに対して出力してよい。
【００２８】
エンジンがオン状態である場合、例えば、カーナビゲーション装置３２の出力部１５０は、外部の通信機器２００から携帯電話機２２へと着信したことをユーザに通知する呼出音をカーナビゲーション装置３２から出力してよい。さらに、この場合において、携帯電話機２２の出力部１５０は、呼出音の出力を停止してもよい。
【００２９】
そして、携帯電話機２２およびカーナビゲーション装置３２の出力部１５０は、ユーザがカーナビゲーション装置３２により当該着信を受けた場合（すなわち、オフフックした場合）、通話を例えば近距離無線通信を介して携帯電話機２２からカーナビゲーション装置３２へ転送してよい。また、携帯電話機２２およびカーナビゲーション装置３２の出力部１５０は、ユーザが携帯電話機２２により当該着信を受けた場合（すなわち、オフフックした場合）、通話をカーナビゲーション装置３２に転送しなくてよい。これにより、通信システム１０は、ユーザが車両内におりエンジンをオン状態にしている場合に、携帯電話機２２への着信をカーナビゲーション装置３２により受信可能とすることができる。
【００３０】
また、携帯端末２０が携帯電話機２２であり、検出部１２０が検出した情報処理装置３０のうちの１つがカーナビゲーション装置３２である場合、選択部１４０は、車両が移動状態であることを条件として、外部の通信機器２００から携帯電話機２２へと着信した通話をカーナビゲーション装置３２に転送すべきことを選択してよい。そして、携帯電話機２２およびカーナビゲーション装置３２の出力部１５０は、外部の通信機器２００から携帯電話機２２へと着信した通話を当該カーナビゲーション装置３２に転送してよい。携帯電話機２２およびカーナビゲーション装置３２の出力部１５０は、一例として、外部の通信機器２００から携帯電話機２２へと着信した通話を、近距離無線通信を介して当該カーナビゲーション装置３２に転送してよい。
【００３１】
さらに、着信が転送されたカーナビゲーション装置３２の出力部１５０は、当該着信を自動的に受けて、例えば運転中なので電話にでることができない旨の音声応答をしてよい。さらに、カーナビゲーション装置３２の出力部１５０は、当該音声応答に対する外部の通信機器２００のユーザからの音声による返答を録音してよい。これに代えて、カーナビゲーション装置３２の出力部１５０は、当該着信を自動的に受けて保留音を流し続け、車両が停止した後に通話を当該カーナビゲーション装置３２によりユーザに対して出力してもよい。これにより、通信システム１０は、ユーザが車両を移動させている場合における携帯電話機２２への着信に対して、カーナビゲーション装置３２により応答することができる。
【００３２】
また、携帯端末２０が携帯電話機２２であり、検出部１２０が検出した情報処理装置３０のうちの１つがカーナビゲーション装置３２である場合、選択部１４０は、一例として、エンジンがオン状態であることを条件として、携帯電話機２２から外部の通信機器２００へと発信するための操作インターフェイスをカーナビゲーション装置３２によりユーザに出力すべきことを選択してよい。そして、カーナビゲーション装置３２の出力部１５０は、携帯電話機２２から外部の通信機器２００へ発信するための操作インターフェイスを、当該カーナビゲーション装置３２によりユーザに対して出力してよい。これにより、通信システム１０は、携帯電話機２２の操作インターフェイスに代えて、カーナビゲーション装置３２の操作インターフェイスを用いて携帯電話機２２から外部の通信機器２００へ発信することができる。
【００３３】
さらに、選択部１４０により情報処理装置３０が選択された場合、携帯端末２０の出力部１５０は、一例として、当該携帯端末２０内に設定された電話番号等の連絡先情報またはウェッブページアドレスを少なくとも含むカスタマイズ情報を、当該携帯端末２０から選択された情報処理装置３０へ近距離無線通信により転送してよい。携帯電話機２２の出力部１５０は、一例として、エンジンがオン状態であることを条件として、携帯電話機２２内に設定された電話番号のリストを、近距離無線通信を介してカーナビゲーション装置３２に転送してよい。これにより、カーナビゲーション装置３２によれば、カーナビゲーション装置３２の操作インターフェイスを用いて携帯電話機２２から外部の通信機器２００へ発信する場合等において、携帯電話機２２に設定されていた電話番号を有する外部の通信機器２００に対する発信操作を容易に行うことができる。
【００３４】
また、通信システム１０は、外部の通信機器２００から携帯電話機２２へと着信した通話を、携帯電話機２２から近距離無線通信を介してカーナビゲーション装置３２へ転送するのに代えて、携帯電話機２２を介さずにサーバからカーナビゲーション装置３２へ直接転送してもよい。この場合、選択部１４０は、カーナビゲーション装置３２を出力端末として選択したことを示す選択情報を予めサーバに登録する。そして、サーバは、外部の通信機器２００から携帯電話機２２に対して着信があった場合には、移動体通信網を介して携帯電話機２２に当該着信を転送するのに代えて、カーナビゲーション装置３２が利用する通信回線を介して当該着信を転送する。
【００３５】
さらに、この場合、サーバは、外部の通信機器２００から送信されるデータ内容に応じて、転送に利用する通信回線を切り替えてよい。サーバは、一例として、動画データ等の大容量データを転送する場合には、比較的に高レート情報を転送することができる通信回線を利用し、秘匿しなければならない情報を転送する場合には、セキュリティ性の高い通信回線を利用してよい。
【００３６】
また、１つの情報処理装置３０に対して２以上の携帯端末２０が近距離無線通信可能な範囲に近接した場合、当該情報処理装置３０は、いずれか１つの携帯端末２０との間で当該通信システム１０を形成してよい。例えば、車両中にそれぞれが携帯電話機２２を有する複数のユーザが同乗した場合、当該車両内に設置されたカーナビゲーション装置３２は、いずれか一人のユーザが有する携帯電話機２２との間で通信システム１０を形成してよい。すなわち例えば、当該車両内に設置されたカーナビゲーション装置３２は、いずれか一人のユーザの携帯電話機２２に対する着信を出力する出力端末として機能し、他のユーザの携帯電話機２２に対する着信を出力する出力端末としては機能しなくてよい。
【００３７】
携帯電話機２２の検出部１２０は、一例として、当該携帯電話機２２が予めカーナビゲーション装置３２に登録されていることを条件として、カーナビゲーション装置３２を出力端末として検出してよい。また、携帯電話機２２の検出部１２０は、一例として、カーナビゲーション装置３２を近距離無線通信により検出した時において、当該カーナビゲーション装置３２を出力端末として選択可能とするか否を示したボタン等を表示し、当該ボタン等の表示に対するユーザの操作に応じてカーナビゲーション装置３２を出力端末として選択可能としてよい。
【００３８】
また、携帯端末２０が携帯電話機２２であり、検出部１２０が検出した情報処理装置３０のうちの１つがカーナビゲーション装置３２である場合、カーナビゲーション装置３２の出力部１５０は、当該カーナビゲーション装置３２が選択されていることを条件として、携帯電話機２２のモニタに表示される表示情報を近距離無線通信により受信し、受信した表示情報を当該カーナビゲーション装置３２に表示してよい。これにより、通信システム１０によれば、携帯電話機２２に表示される情報をカーナビゲーション装置３２の大きな画面で表示できるので、携帯電話機２２のユーザ以外のユーザに、携帯電話機２２に表示されている内容を見せることができる。
【００３９】
また、ユーザが携帯電話機２２を用いて通話中の場合に、カーナビゲーション装置３２の出力部１５０は、当該カーナビゲーション装置３２が選択されていることを条件として、携帯電話機２２の操作画面を示す操作画面情報を近距離無線通信により受信し、受信した操作画面情報に応じた操作画面を当該カーナビゲーション装置３２に表示してよい。さらに、カーナビゲーション装置３２の出力部１５０は、操作画面に対するユーザからの操作入力を受け付け、近距離無線通信を介して当該操作入力に応じた入力情報を携帯電話機２２に送信してよい。そして、入力情報を受けた携帯電話機２２は、当該入力情報に応じた動作をしてよい。これにより、通信システム１０によれば、ユーザが携帯電話機２２を用いて通話中の場合であっても、当該携帯電話機２２に対する操作をカーナビゲーション装置３２を用いて容易に行うことができる。
【００４０】
また、情報処理装置３０の出力部１５０は、当該カーナビゲーション装置３２の使用状況に応じて、ユーザに出力する情報を切り替えてもよい。例えば、携帯電話機２２内に設定された電話番号のリストが近距離無線通信を介して転送された場合において、カーナビゲーション装置３２の出力部１５０は、当該カーナビゲーション装置３２により着信できる電話番号を、転送されたリストの中から車両の移動速度に応じて絞り込んでよい。そして、カーナビゲーション装置３２の出力部１５０は、絞り込んだ電話番号から着信があった場合は、例えばハンズフリー応答により受話できるようにしてもよい。これにより、通信システム１０によれば、移動速度に応じて通話できる連絡先をより重要なものに限定することができる。
【００４１】
また、カーナビゲーション装置３２の出力部１５０は、車両の移動中にメールを受信し、且つ、当該メールの文字数が所定量より多い場合、当該メールの送信元の外部の通信機器２００に対して、ハンズフリーによる音声通話により返信するか否かを選択させてもよい。例えば、カーナビゲーション装置３２の出力部１５０は、当該メールの文字数が所定量より多い場合、重要なメールであると判断して自動音声読み上げをしてよい。そして、カーナビゲーション装置３２の出力部１５０は、そのメールに対して運転中なので応答ができない旨の返信をしてもよいし、そのメールを送った相手の電話番号にハンズフリー応答により発信できるようにしてもよい。
してもよい。
【００４２】
以上のように、通信システム１０によれば、携帯端末２０との間で近距離無線通信をすることができる情報処理装置３０を検出し、検出した情報処理装置３０の使用状況に応じて外部の通信機器２００から受信した情報を出力すべき機器を選択する。これにより、通信システム１０によれば、ユーザが利用できる情報処理装置３０が携帯端末２０の物理的に近くにある場合、ユーザにとって適したいずれかの機器を介して外部の通信機器２００から受信した情報を出力することができる。
【００４３】
図２は、本実施形態に係る通信システム１０の構成の第２例を外部の通信機器２００とともに示す。図２においては、携帯端末２０が携帯電話機２２であり、検出部１２０が検出した情報処理装置３０のうちの１つがカーナビゲーション装置３２であり、更に、検出部１２０が検出した情報処理装置３０のうちの１つは、パーソナルコンピュータ３４である場合における、通信システム１０の具体的な動作の一例について説明する。すなわち、例えば、携帯電話機２２を携帯するユーザがカーナビゲーション装置３２が設置された車両内に入り、さらにその車両内にパーソナルコンピュータ３４がある場合における、通信システム１０の具体的な動作の一例を説明する。なお、パーソナルコンピュータ３４は、一例として、ノート型または手帳型等のコンピュータであってよい。
【００４４】
このような場合において、パーソナルコンピュータ３４に設けられた取得部１１０は、当該パーソナルコンピュータ３４における通信アプリケーションの利用状態を使用状況として取得してよい。パーソナルコンピュータ３４に設けられた取得部１１０は、一例として、ユーザがパーソナルコンピュータ３４のウェッブ閲覧用のアプリケーションまたはメールアプリケーションを利用しているか否かを、使用状況として取得してよい。
【００４５】
選択部１４０は、通信アプリケーションがユーザに利用されている状態であることを条件として、外部の通信機器２００から携帯電話機２２へと着信した通話を、パーソナルコンピュータ３４によりユーザに出力すべきことを選択してよい。そして、パーソナルコンピュータ３４の出力部１５０は、外部の通信機器２００から携帯電話機２２へと着信した通話を当該パーソナルコンピュータ３４によりユーザに対して出力してよい。例えば、エンジンがオン状態であっても、パーソナルコンピュータ３４の通信アプリケーションが利用されていれば、ユーザは当該パーソナルコンピュータ３４に向いている可能性が高く、カーナビゲーション装置３２よりパーソナルコンピュータ３４の方が電話を受け易い。このように、通信システム１０によれば、ユーザにとって通話をより受け易いパーソナルコンピュータ３４に着信を出力することができる。
【００４６】
これに加え、カーナビゲーション装置３２に設けられた取得部１１０は、ユーザによる当該カーナビゲーション装置３２を介したインターネットのウェッブサイトへのアクセス状況を使用状況として取得する。選択部１４０は、ユーザがカーナビゲーション装置３２を介してインターネットのウェッブサイトにアクセス状態であることを条件として、外部の通信機器２００から携帯電話機２２へと着信した通話をカーナビゲーション装置３２により出力すべきことを選択する。そして、カーナビゲーション装置３２の出力部１５０は、外部の通信機器２００から携帯電話機２２へと着信した通話を当該カーナビゲーション装置３２によりユーザに対して出力してよい。
【００４７】
パーソナルコンピュータ３４が利用されている場合であっても、カーナビゲーション装置３２によりインターネットのウェッブサイトをアクセスしている場合には、ユーザは当該カーナビゲーション装置３２に向いている可能性が高く、パーソナルコンピュータ３４よりカーナビゲーション装置３２の方が電話を受け易い。このように、通信システム１０によれば、ユーザにとって通話をより受け易いカーナビゲーション装置３２に着信を出力することができる。
【００４８】
また、選択部１４０は、外部の通信機器２００から携帯電話機２２へと着信した通話を、カーナビゲーション装置３２により出力するか、または、パーソナルコンピュータ３４により出力するかをユーザの選択に応じて切り替えてよい。すなわち、選択部１４０は、携帯端末２０または検出部１２０が検出した情報処理装置３０が外部の通信機器２００から受信した情報をユーザに対して出力する出力端末を、ユーザの指定に応じて他の情報処理装置３０に切り替えてよい。そして、切り替えられた他の情報処理装置３０の出力部１５０は、外部の通信機器２００から受信した情報を当該他の情報処理装置３０によりユーザに対して出力する。これにより、通信システム１０によれば、情報を出力する機器をユーザにより切り替えることができる。
【００４９】
さらに、出力端末を切り替えることを目的として、選択部１４０は、一例として、中止指定部１４２と、中止処理部１４４と、開始指定部１４６と、開始処理部１４８とを含んでよい。中止指定部１４２は、情報処理装置３０のそれぞれに設けられ、当該情報処理装置３０が外部の通信機器２００から受信した情報をユーザに対して出力すべき出力端末として選択されている場合、当該情報処理装置３０に対する選択の中止の指定をユーザから受け付ける画面を表示する。中止処理部１４４は、選択の中止の指定に応じて、当該情報処理装置３０を外部の通信機器２００から受信した情報をユーザに対して出力する出力端末として選択することを中止する。これにより、選択部１４０によれば、出力端末として選択されている情報処理装置３０に対する操作に応じて、当該情報処理装置３０を選択状態から非選択状態へ切り替えることができる。
【００５０】
開始指定部１４６は、情報処理装置３０のそれぞれに設けられ、当該情報処理装置３０が当該情報処理装置３０が外部の通信機器２００から受信した情報をユーザに対して出力すべき出力端末として選択されていない場合、当該情報処理装置３０に対する選択の開始の指定をユーザから受け付ける画面を表示する。開始処理部１４８は、選択の開始の指定に応じて、当該情報処理装置３０を外部の通信機器２００から受信した情報をユーザに対して出力する出力端末として選択することを開始する。これにより、開始指定部１４６によれば、出力端末として選択されていない情報処理装置３０に対する操作に応じて、当該情報処理装置３０を非選択状態から選択状態へ切り替えることができる。
【００５１】
図３は、本実施形態に係る通信システム１０の構成の第３例を課金サーバ２１０とともに示す。図３においては、携帯端末２０が携帯電話機２２であり、検出部１２０が検出した情報処理装置３０のうちの１つがカーナビゲーション装置３２であり、更に、検出部１２０が検出した情報処理装置３０のうちの１つは、車両の外部に配置された車外支払装置の一例であるパーキングメータ３６である場合における、通信システム１０の具体的な動作の一例について説明する。すなわち、例えば、携帯電話機２２を携帯するユーザがカーナビゲーション装置３２が設置された車両内におり、さらにその車両が車外に設置されたパーキングメータ３６に近接した場合における、通信システム１０の具体的な動作の一例を説明する。
【００５２】
このような場合において、パーキングメータ３６に設けられた取得部１１０は、課金可能な携帯端末２０または情報処理装置３０を表示してユーザにいずれかを指定させ、課金すべき機器の指定結果を使用状況として取得してよい。パーキングメータ３６に設けられた取得部１１０は、一例として、当該パーキングメータ３６の表示画面上に、携帯電話機２２またはカーナビゲーション装置３２のうちいずれにより課金をするかを指定するボタンを表示して課金すべき機器をユーザに指定させ、指定結果を使用状況として取得してよい。
【００５３】
選択部１４０は、取得部１１０による指定結果に応じて、課金サーバ２１０と通信して課金処理すべき携帯端末２０またはいずれか一つの情報処理装置３０を選択してよい。選択部１４０は、一例として、取得部１１０による指定結果に応じて、課金サーバ２１０と通信して課金処理すべき携帯電話機２２またはカーナビゲーション装置３２を選択してよい。
【００５４】
そして、選択された携帯端末２０または情報処理装置３０の出力部１５０は、課金サーバ２１０から送信された課金情報をユーザに対して出力してよい。選択された携帯電話機２２またはカーナビゲーション装置３２の出力部１５０は、一例として、課金サーバ２１０から送信された課金情報をユーザに対して出力してよい。これにより、通信システム１０によれば、課金が可能な機器が複数ある場合、ユーザが希望する携帯端末２０または情報処理装置３０により課金をさせることができる。
【００５５】
また、パーキングメータ３６に設けられた取得部１１０は、ユーザに適した１以上の課金方法を表示してユーザにいずれかを指定させ、課金方法の指定結果を使用状況として取得してもよい。この場合において、パーキングメータ３６に設けられた取得部１１０は、一例として、ユーザの過去の当該パーキングメータ３６の利用状況を参照して複数の課金方法を表示してユーザにいずれかを指定させてよい。
【００５６】
選択部１４０は、指定結果に応じた課金方法を実行可能な携帯端末２０または情報処理装置３０を選択してよい。そして、選択された携帯端末２０または情報処理装置３０の出力部１５０は、指定結果に応じた課金方法を実行する課金サーバ２１０から送信された課金情報をユーザに対して出力してよい。これにより、通信システム１０によれば、ユーザから課金する方法が複数ある場合、ユーザに適した課金方法を提示することができる。
【００５７】
また、これに代えて又はこれに加えて、カーナビゲーション装置３２に設けられた取得部１１０は、課金可能な携帯端末２０またはカーナビゲーション装置３２を表示してユーザにいずれかを選択させ、課金すべき機器の選択結果を使用状況として取得してよい。例えば、カーナビゲーション装置３２に設けられた取得部１１０は、一例として、パーキングメータ３６から近距離無線通信を介して表示情報を受信し、当該カーナビゲーション装置３２の表示画面上に、携帯電話機２２またはカーナビゲーション装置３２を指定するボタンを表示して、課金すべき機器をユーザに選択させてよい。これにより、通信システム１０によれば、ユーザに車両の窓から手を出さずにユーザに選択操作をさせることができる。
【００５８】
図４は、本実施形態に係る通信システム１０の構成の第４例を外部の通信機器２００とともに示す。通信システム１０は、携帯端末２０および情報処理装置３０に加えて、さらに、携帯端末２０および情報処理装置３０と通信するサーバ４０を備えてよい。通信システム１０において、携帯端末２０とサーバ４０とは第１通信路５２を介してデータのやり取りがされ、情報処理装置３０とサーバ４０とは第１通信路５２とは異なる第２通信路５４を介してデータのやり取りがされる。さらに、外部の通信機器２００は、サーバ４０を介して、携帯端末２０および情報処理装置３０とデータのやり取りがされる。
【００５９】
このような構成の通信システム１０において、取得部１１０は、それぞれの情報処理装置３０に設けられ、ユーザによる当該情報処理装置３０の使用状況を取得する。検出部１２０は、携帯端末２０に設けられ、近距離無線通信により当該携帯端末２０と通信可能な情報処理装置３０を検出する。収集部１３０は、携帯端末２０、サーバ４０または少なくとも１つの情報処理装置３０に設けられ、検出部１２０が検出した情報処理装置３０から当該情報処理装置３０の使用状況を収集する。
【００６０】
選択部１４０は、サーバ４０に設けられ、検出部１２０が検出したそれぞれの情報処理装置３０の使用状況に基づいて、携帯端末２０または検出部１２０が検出した情報処理装置３０が外部の通信機器２００から受信した情報をユーザに対して出力する出力端末を、携帯端末２０および検出部１２０が検出した情報処理装置３０の中から選択する。出力部１５０は、携帯端末２０および情報処理装置３０にそれぞれ設けられ、当該携帯端末２０または当該情報処理装置３０が出力端末として選択されたことに応じて、外部の通信機器２００から受信した情報をユーザに対して出力する。
【００６１】
サーバ４０に設けられた選択部１４０は、一例として、出力端末として選択された携帯端末２０または情報処理装置３０に対応する通信路を介して、外部の通信機器２００から受信した情報を選択された携帯端末２０または情報処理装置３０に送信してよい。一例として、携帯端末２０が携帯電話機２２であり、情報処理装置３０がカーナビゲーション装置３２である場合、選択部１４０は、カーナビゲーション装置３２が選択されていることを条件として、外部の通信機器２００から携帯電話機２２へと着信した通話を第１通信路５２を介して転送するのではなく、サーバ４０から第２通信路５４を介してカーナビゲーション装置３２へ転送してよい。
【００６２】
また、選択部１４０は、一例として、カーナビゲーション装置３２が選択されていることを条件として、通話を着信するためのユーザインターフェイスを第２通信路５４を介してカーナビゲーション装置３２に転送してよい。そして、カーナビゲーション装置３２の出力部１５０は、転送されたユーザインターフェイスに応じて、画面表示および操作入力方法を設定してよい。
【００６３】
このような通信システム１０によれば、出力端末に加えて、選択した情報処理装置３０に適した通信路をサーバ４０により切り替えることができる。さらに、このような通信システム１０によれば、選択された情報処理装置３０が出力端末として動作するために必要となる情報をサーバ４０から転送し、情報処理装置３０に対して設定することができる。
【００６４】
図５は、本実施形態に係る通信システム１０の構成の第５例を外部の通信機器２００とともに示す。本例に係る通信システム１０は、携帯電話機２２と、カーナビゲーション装置３２と、サーバ４０と、中継装置６０とを備え、少なくとも地図情報を含むナビゲーション情報をユーザに提供する。
【００６５】
本例に係るカーナビゲーション装置３２は、無線通信部３０２と、記憶部３０４と、表示部３０６と、操作入力部３０８と、制御部３１０と、近距離通信部３１２とを含む。無線通信部３０２は、車両の外部に設置された中継装置６０との間で無線通信し、中継装置６０を介してサーバ４０からユーザ用のナビゲーション情報を受信する。記憶部３０４は、無線通信部３０２により受信したユーザ用のナビゲーション情報を記憶する。記憶部３０４は、一例として、半導体メモリであってよい。
【００６６】
表示部３０６は、ユーザ用のナビゲーション情報を表示する。操作入力部３０８は、ユーザからの操作を受け付ける。制御部３１０は、記憶部３０４に記憶されたユーザ用のナビゲーション情報を操作入力に応じて表示部３０６に表示させる。制御部３１０は、一例として、記憶部３０４に記憶されたユーザ用のナビゲーション情報に基づき現在地から目的地までのルートを検索して、地図情報とともに検索したルートを表示してよい。近距離通信部３１２は、携帯電話機２２との間で近距離無線通信をする。
【００６７】
このような本例に係るカーナビゲーション装置３２は、無線通信によりナビゲーション情報をサーバ４０から受信する。従って、このようなカーナビゲーション装置３２によれば、例えば全国のナビゲーション情報を格納する大容量で信頼性の高い記憶装置（例えば、衝撃に強いハードディスクドライブ）を備えて無くてよく、安価となる。
【００６８】
携帯電話機２２は、移動通信ネットワーク５６を介してサーバ４０と通信する。また、携帯電話機２２は、カーナビゲーション装置３２と近距離無線通信をする。携帯電話機２２は、ユーザが希望するナビゲーション情報の送信を要求する設定要求情報を、サーバ４０に送信する。
【００６９】
ここで、携帯電話機２２から送信される設定要求情報には、一例として、現在地または目的地を指定する情報を少なくとも含んでよい。これに加えて、設定要求情報は、移動目的、行動相手、検索を希望する施設情報（レストラン、イベント会場等）を指定する情報を含んでよい。携帯電話機２２は、音声データにより表された設定要求情報を送信しても、テキストデータにより表された設定要求情報を送信してもよい。
【００７０】
中継装置６０は、カーナビゲーション装置３２が取り付けられた車両が近接していることを条件として、当該カーナビゲーション装置３２と無線通信可能とされる。中継装置６０は、車両が停車し、且つ、車両が近接する場所に設置される。中継装置６０は、一例として、自宅の駐車場、ガススタンド、店舗の駐車場、公共施設の駐車場等に配置されてよい。
【００７１】
そして、中継装置６０は、カーナビゲーション装置３２との間で無線通信が可能な場合において、サーバ４０とカーナビゲーション装置３２との間の通信を中継する。中継装置６０は、比較的に情報量の多いデータを短時間に転送できる通信プロトコルによりカーナビゲーション装置３２と通信してよい。また、中継装置６０は、一例として、サーバ４０との間が有線ネットワークを介して接続されてよい。
【００７２】
サーバ４０は、受信部４０２と、ユーザ認識部４０４と、格納部４０６と、生成部４０８と、送信部４１０とを含む。受信部４０２は、携帯電話機２２から移動通信ネットワーク５６を介して設定要求情報を受信する。受信部４０２は、一例として、音声データによる設定要求情報を受信した場合には、音声認識処理をテキストデータに変換してよい。
【００７３】
ユーザ認識部４０４は、設定要求情報を送信したユーザを判断して、ナビゲーション情報を送信すべきカーナビゲーション装置３２を検出する。ユーザ認識部４０４は、一例として、携帯電話機２２のユーザとカーナビゲーション装置３２のユーザとの対応関係を登録しておいてよい。格納部４０６は、ナビゲーション情報を格納する。格納部４０６は、一例として、全国の地図情報および全国の施設情報等を含むナビゲーション情報を格納してよい。
【００７４】
生成部４０８は、格納部４０６に格納されたナビゲーション情報から設定要求情報に応じた一部の情報を抽出して、ユーザ用のナビゲーション情報を生成する。生成部４０８は、一例として、格納部４０６に格納された全国の地図情報のうち、現在地から目的地までのルートが含まれた一部の地図情報を抽出して、ユーザ用のナビゲーション情報を生成してよい。また、生成部４０８は、一例として、設定要求情報に含まれる移動目的、行動相手、検索を希望する施設情報に基づき、ユーザが探している施設を格納部４０６に格納されたナビゲーション情報から抽出して、ユーザ用のナビゲーション情報を生成してもよい。
【００７５】
送信部４１０は、生成されたユーザ用のナビゲーション情報を中継装置６０を介して、設定要求情報を送信したユーザに対応するカーナビゲーション装置３２に送信する。対応するカーナビゲーション装置３２が取り付けられた車両がいずれの中継装置６０の近くにもおらず、ナビゲーション情報を送信できない場合、送信部４１０は、その旨を、設定要求情報を送信したユーザの携帯電話機２２に送信してよい。さらに、この場合、送信部４１０は、生成したユーザ用のナビゲーション情報を記憶しておき、例えばカーナビゲーション装置３２が中継装置６０に近接するまで繰り返しナビゲーション情報を送信してよい。
【００７６】
以上のような通信システム１０によれば、カーナビゲーション装置３２に大容量で高機能のハードディスクドライブ等の記憶装置を備えなくてよいので、カーナビゲーション装置３２を安価とすることができる。さらに、通信システム１０によれば、サーバ４０がナビゲーション情報を記憶するので、情報の更新を簡易にでき、ユーザに最新のナビゲーション情報を提供することができる。
【００７７】
図６は、本実施形態に係るコンピュータ１９００のハードウェア構成の一例を示す。本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＣＤ−ＲＯＭドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００７８】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００７９】
入出力コントローラ２０８４は、ホスト・コントローラ２０８２と、比較的高速な入出力装置である通信インターフェイス２０３０、ハードディスクドライブ２０４０、ＣＤ−ＲＯＭドライブ２０６０を接続する。通信インターフェイス２０３０は、ネットワークを介して他の装置と通信する。ハードディスクドライブ２０４０は、コンピュータ１９００内のＣＰＵ２０００が使用するプログラム及びデータを格納する。ＣＤ−ＲＯＭドライブ２０６０は、ＣＤ−ＲＯＭ２０９５からプログラム又はデータを読み取り、ＲＡＭ２０２０を介してハードディスクドライブ２０４０に提供する。
【００８０】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラムや、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスクドライブ２０４０に提供する。入出力チップ２０７０は、フレキシブルディスク・ドライブ２０５０や、例えばパラレル・ポート、シリアル・ポート、キーボード・ポート、マウス・ポート等を介して各種の入出力装置を接続する。
【００８１】
ＲＡＭ２０２０を介してハードディスクドライブ２０４０に提供されるプログラムは、フレキシブルディスク２０９０、ＣＤ−ＲＯＭ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【００８２】
コンピュータ１９００にインストールされ、コンピュータ１９００をサーバ４０として機能させるプログラムは、収集モジュールと、選択モジュールと、出力モジュールとを備える。これらのプログラム又はモジュールは、ＣＰＵ２０００等に働きかけて、コンピュータ１９００を、収集部１３０、選択部１４０としてそれぞれ機能させる。
【００８３】
以上に示したプログラム又はモジュールは、外部の記憶媒体に格納されてもよい。記憶媒体としては、フレキシブルディスク２０９０、ＣＤ−ＲＯＭ２０９５の他に、ＤＶＤやＣＤ等の光学記録媒体、ＭＯ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１９００に提供してもよい。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００８５】
【図１】本発明の実施形態に係る通信システム１０の構成の第１例を外部の通信機器２００とともに示す。
【図２】本発明の実施形態に係る通信システム１０の構成の第２例を外部の通信機器２００とともに示す。
【図３】本発明の実施形態に係る通信システム１０の構成の第３例を課金サーバ２１０とともに示す。
【図４】本発明の実施形態に係る通信システム１０の構成の第４例を外部の通信機器２００とともに示す。
【図５】本発明の実施形態に係る通信システム１０の構成の第５例を外部の通信機器２００とともに示す。
【図６】本発明の実施形態に係るコンピュータ１９００のハードウェア構成の一例を示す。
【符号の説明】
【００８６】
１０  通信システム
２０  携帯端末
２２  携帯電話機
３０  情報処理装置
３２  カーナビゲーション装置
３４  パーソナルコンピュータ
３６  パーキングメータ
４０  サーバ
５２  第１通信路
５４  第２通信路
５６  移動通信ネットワーク
６０  中継装置
１１０  取得部
１２０  検出部
１３０  収集部
１４０  選択部
１４２  中止指定部
１４４  中止処理部
１４６  開始指定部
１４８  開始処理部
１５０  出力部
２００  外部の通信機器
２１０  課金サーバ
３０２  無線通信部
３０４  記憶部
３０６  表示部
３０８  操作入力部
３１０  制御部
３１２  近距離通信部
４０２  受信部
４０４  ユーザ認識部
４０６  格納部
４０８  生成部
４１０  送信部
１９００  コンピュータ
２０００  ＣＰＵ
２０１０  ＲＯＭ
２０２０  ＲＡＭ
２０３０  通信インターフェイス
２０４０  ハードディスクドライブ
２０５０  フレキシブルディスク・ドライブ
２０６０  ＣＤ−ＲＯＭドライブ
２０７０  入出力チップ
２０７５  グラフィック・コントローラ
２０８０  表示装置
２０８２  ホスト・コントローラ
２０８４  入出力コントローラ
２０９０  フレキシブルディスク
２０９５  ＣＤ−ＲＯＭ
【図１】
2008104102.tif 000003
【図２】
2008104102.tif 000004
【図３】
2008104102.tif 000005
【図４】
2008104102.tif 000006
【図５】
2008104102.tif 000007
【図６】
2008104102.tif 000008